(57)【要約】      （修正有）【課題】小径ディスクが挿入された場合に、ディスク装置内部の所定位置への搬送途中でディスク装置の挿入口側へ強制的に排出するディスク判別手段を備えたディスク装置を提供する。【解決手段】挿入口より挿入されたディスクの外周縁に沿って移動する第１の当接ピンを形成した第１のディスク検知部材と、第２の当接ピンを形成した第２のディスク検知部材は、ディスクの外周縁にそれぞれ当接して互いに離間する方向へ摺動するように設ける。また、第１のディスク検知部材が摺動することでＯＮまたはＯＦＦに切り換わる第１のスイッチ９と第２のスイッチを設け、第１のスイッチ９がＯＦＦからＯＮに切り換わった後で、第２のスイッチ１０がＯＦＦからＯＮに切り換わらずに第１のスイッチ９がＯＮからＯＦＦに切り換わったときに、挿入されたディスクが小径ディスクであると判別して挿入口側へ強制的に排出する。【選択図】図２８
2012195034.tif 000002
【特許請求の範囲】
【請求項１】
フレームと、前記フレームに形成されてディスクを直接挿抜する挿入口と、前記挿入口より挿入されたディスクの外周縁に当接し、前記ディスクの外周縁に沿って移動する第１の当接ピンおよび第２の当接ピンと、前記第１の当接ピンと第１のラックギアを形成して前記フレームに対し摺動可能に取付けられた第１のディスク検知部材と、前記第２の当接ピンと第２のラックギアを形成して前記フレームに対し摺動可能に取付けられた第２のディスク検知部材と、前記第１のラックギアおよび前記第２のラックギアと噛合するピニオンギアと、前記第１のディスク検知部材および前記第２のディスク検知部材を互いに近接する方向へ付勢する第１の付勢手段と、前記第１のディスク検知部材または前記第２のディスク検知部材が摺動することでＯＮまたはＯＦＦの切り換えを行う第１のスイッチおよび第２のスイッチと、前記第１のスイッチおよび前記第２のスイッチのＯＮまたはＯＦＦを検知して正転駆動、逆転駆動、或いは停止を行うモーターと、前記モーターの回転駆動力によって回転するローラーと、を備えたディスク装置であって、前記第１のラックギアおよび前記第２のラックギアにはそれぞれ欠歯を形成し、前記第１のスイッチは前記第２のスイッチよりも先に前記第１のディスク検知部材または前記第２のディスク検知部材の摺動に応じてＯＮまたはＯＦＦの切り換えを行う位置に設け、前記挿入口より前記ディスクを挿入することで前記第１のスイッチがＯＦＦからＯＮに切り換わったときに前記モーターが正転駆動して前記ローラーによって前記ディスクをディスク装置内部の所定位置方向へ搬送し、その後、前記第２のスイッチがＯＦＦからＯＮに切り換わったときには前記ローラーによって前記ディスクのディスク装置内部の所定位置方向への搬送を続け、或いは、前記第２のスイッチがＯＮとならず、且つ、前記第１のスイッチがＯＮからＯＦＦに切り換わったときには前記モーターが逆転駆動して前記ローラーによって前記ディスクをディスク装置の挿入口側へ強制的に排出することを特徴とするディスク判別手段を備えたディスク装置。
【請求項２】
前記第１のスイッチおよび前記第２のスイッチは、摺動する前記第１のディスク検知部材または前記第２のディスク検知部材の何れかによってＯＮまたはＯＦＦに切り換わるよう並設したことを特徴とする請求項１に記載のディスク判別手段を備えたディスク装置。
【請求項３】
前記フレームに対し摺動可能に取付けられ、且つ前記第１のディスク検知部材または前記第２のディスク検知部材の摺動方向に直交する方向へ摺動するスライダーを設け、前記スライダーの摺動動作によって前記第１のディスク検知部材または前記第２のディスク検知部材を介して前記第１のスイッチがＯＦＦからＯＮに切り換わったときに前記モーターを停止することを特徴とする請求項１または請求項２の何れかに記載のディスク判別手段を備えたディスク装置。
【発明の詳細な説明】
【技術分野】
【０００１】
本発明は、例えば、ＣＤ、ＤＶＤ、或いはブルーレイディスク等と称される円盤形状を成した記憶媒体たるディスクを直接挿抜する挿入口を備えたディスク装置であって、特に挿入されたディスクの外径を検知し、所定の外径以外のディスクが挿入された場合に挿入口側へ強制的に排出するディスク判別手段を備えたディスク装置に関するものである。
【背景技術】
【０００２】
ディスク装置とは、記憶媒体たるディスクを内部に装填し、前記ディスクに記録されている情報を読出し再生する、或いは、前記ディスクに対し情報を書込み記録する手段を備えた装置全般の総称である。具体的にディスク装置を備えた機器について詳述すれば、音声情報が記録されたＣＤ（Ｃｏｍｐａｃｔ  Ｄｉｓｃ）の再生を可能とするＣＤ  ＰＬＡＹＥＲや、音声情報及び映像情報が記録されたＤＶＤ（Ｄｉｇｉｔａｌ  Ｖｅｒｓａｔｉｌｅ  Ｄｉｓｃ）の再生を可能とするＤＶＤ  ＰＬＡＹＥＲ、また、前記ＣＤやＤＶＤに対する再生手段と記録手段を兼ね備えたＣＤ  ＲＥＣＯＲＤＥＲやＤＶＤ  ＲＥＣＯＲＤＥＲ等がある。さらに、近年では記録情報の大容量化を図った記憶媒体としてブルーレイディスク（Ｂｌｕ−ｒａｙ  Ｄｉｓｃ）があり、このブルーレイディスクに対応したディスク装置および前記ディスク装置を備えた機器もある。
【０００３】
上記ディスク装置には、大別してディスクを装置外部と装置内部の所定位置の間で搬送する手段（以下、単に搬送手段と称す）と、装置内部の所定位置において前記ディスクの再生および／または記録する手段（以下、単に記録／再生手段と称す）を備えている。
【０００４】
搬送手段の一例を述べれば、ディスク装置の内外において移動可能とするトレイを備え、装置外部においてディスクの交換を可能とするディスク交換位置に搬送する前記トレイ上にディスクを載置して前記ディスクを装置内部の所定位置へ搬送する手段や、ディスク装置に挿入口を設け、前記挿入口の内面側にローラーを備えて、前記ローラーの回転駆動力により前記挿入口から挿入したディスクを搬送する手段等がある。
【０００５】
また、記録／再生手段としては、装置内部の所定位置においてディスクを回転させるターンテーブルと、回転するディスクにレーザー光を照射して前記ディスクに予め記録されている情報を読出し再生する、或いは前記ディスクに対して情報を書込み記録することが可能な光ピックアップユニットを主要部品として備えたトラバースユニットを組み付け、前記ターンテーブルの対向位置には前記ターンテーブルと共にディスクを挟持するクランパーを設け、前記ターンテーブルと前記クランパーによってディスクを挟持した状態で回転させ、前記光ピックアップユニットにより前記ディスクに記録された情報の再生、或いは前記ディスクに対する情報の記録を行う手段が一般的である。
【０００６】
ところで、ディスク装置によって再生および／または記録が可能なディスクには、外径が１２０ｍｍの大径ディスクと外径が８０ｍｍの小径ディスクがある。そして、ディスクを直接挿抜する挿入口を備え、大径ディスクと小径ディスクに対応したディスク装置であれば、少なくとも次の手段が必要となる。
（１）挿入口より挿入されたディスクをディスク装置内部の所定位置へ搬送する搬送手段。
（２）挿入口より挿入されたディスクが大径ディスクであるか、或いは、小径ディスクであるかを判別するディスク判別手段。
（３）前記ディスク判別手段による判別結果に基づき、挿入されたディスクの外径に応じて前記ディスクの搬送方法を切り換える搬送方法切換手段。
（４）ディスク装置内部の所定位置において前記ディスクの再生、或いは、前記前記ディスクへ記録する記録／再生手段。
【０００７】
市場においては大径ディスクが大幅に普及しているのが現状である。そのため、ディスク装置の小型化／薄型化や製造工程の簡素化を図る目的で大径ディスクのみを再生および／または記録の対象としたディスク装置も存在する。大径ディスクのみに対応するディスク装置とするならば、前述（３）の搬送方法切換手段の削除が可能となる。しかし、大径ディスクが挿入可能な大きさの挿入口を有するため、前記挿入口から前記大径ディスクよりも小さい小径ディスクを挿入することは可能であり、前記挿入口より前記小径ディスクが挿入されたことを検知し、挿入された小径ディスクをディスク装置の挿入口側へ強制的に排出するか、若しくは、前記小径ディスクの挿入を遮る手段が必要となる。
【０００８】
特許文献１には、挿入口の内面側において、ディスクの径方向両端部にそれぞれ対応する位置に光センサーを配置し、前記光センサーの検出信号に基づき、挿入口より小径ディスクが挿入されたときにはディスクが挿入されたと判別せずにディスクを引き込む動作を行わず、大径ディスクが挿入されたときにはディスクが挿入されたと判別してディスクを引き込む動作を行う内容が記載されている。
【０００９】
また、特許文献２には、ディスク判別手段として、一対の検知ピンと、検知レバーと、３つのスイッチと、で構成し、前記一対の検知ピンと検知レバーが挿入口より挿入されたディスクによって揺動することで３つのスイッチがＯＮまたはＯＦＦの状態となり、所定時間内に前記３つのスイッチが全てＯＦＦとなったときに挿入されたディスクが大径ディスクであると判断して前記ディスクをディスク装置内部の所定位置へ搬送し、所定時間経過しても前記３つのスイッチが全てＯＦＦとならなかったときに挿入されたディスクが小径ディスクであると判断して前記ディスクを挿入口側へ強制的に排出する内容が記載されている。
【００１０】
【特許文献１】特開２００７−３５２２３号公報
【特許文献２】特開平８−２４１５６７号公報
【発明の開示】
【発明が解決しようとする課題】
【００１１】
特許文献１の構造によれば、挿入口内面側の径方向両端部に光センサーを使用し、前記光センサーの検出信号に基づいて大径ディスクのみを挿入可能としていることから、別途特別な手段を設けることなく小径ディスクの挿入を防止することが可能となるが、、前記小径ディスクを挿入しようとした場合に引き込む動作を全く行わないことから、小径ディスクの挿入ができないことを知らないユーザーが強引に前記小径ディスクを挿入させようとしてディスク装置を破損させる危険性がある。
【００１２】
また、特許文献２の構造によれば、挿入されたディスクを判別するために３つのスイッチを使用し、前記スイッチのＯＮまたはＯＦＦの状態を検知して挿入口より挿入されたディスクが大径ディスクであるか、或いは小径ディスクであるかを判別することから、前記特許文献１と同じく、別途特別な手段を設けることなく小径ディスクを挿入口側へ強制的に排出することが可能となるが、ディスクを挿入する際に考えられる複数の挿入パターンに対応する必要がある。例えば、ディスクを略中央より挿入する場合と前記ディスクを両端部（右側端部または左側端部）の何れかより挿入する場合とで３パターンに対応した制御が必要となる。加えて、大径ディスクと小径ディスクとでスイッチのＯＮまたはＯＦＦの状態が異なることから、各挿入状態に対応した制御が必要となり、電気的な制御が複雑となる可能性がある。
【００１３】
また、ディスクの挿入によって揺動する一対の検知ピンと、前記検知ピンの揺動に連動して揺動する検知レバーを設けており、ディスク判別手段としても構造が複雑となる。さらに、ディスクを判別するために３つのスイッチを一対の検知ピンと検知レバーが揺動することによってＯＮまたはＯＦＦとなるようそれぞれ別々の箇所にスイッチを配置する必要があり、部品の可動スペースや配置スペースが必要となり、ディスク装置の大型化が懸念される。
【００１４】
本発明は上述した点に鑑みてなされたものであって、その目的とするところは、ディスク装置の挿入口より挿入されたディスクの判別に要するスイッチの数および判別するパターンの数を最小限で実現し、前記挿入口より挿入されたディスクが大径ディスクの場合にはディスク装置内部の所定位置へ搬送する動作を行い、前記挿入口より挿入されたディスクが小径ディスクの場合には搬送動作の途中で検知して挿入口側へ強制的に排出する動作を行うディスク判別手段を備えたディスク装置を提供することにある。
【課題を解決するための手段】
【００１５】
請求項１に係るディスク判別手段を備えたディスク装置は、フレームと、前記フレームに形成されてディスクを直接挿抜する挿入口と、前記挿入口より挿入されたディスクの外周縁に当接し、前記ディスクの外周縁に沿って移動する第１の当接ピンおよび第２の当接ピンと、前記第１の当接ピンと第１のラックギアを形成して前記フレームに対し摺動可能に取付けられた第１のディスク検知部材と、前記第２の当接ピンと第２のラックギアを形成して前記フレームに対し摺動可能に取付けられた第２のディスク検知部材と、前記第１のラックギアおよび前記第２のラックギアと噛合するピニオンギアと、前記第１のディスク検知部材および前記第２のディスク検知部材を互いに近接する方向へ付勢する第１の付勢手段と、前記第１のディスク検知部材または前記第２のディスク検知部材が摺動することでＯＮまたはＯＦＦの切り換えを行う第１のスイッチおよび第２のスイッチと、前記第１のスイッチおよび前記第２のスイッチのＯＮまたはＯＦＦを検知して正転駆動、逆転駆動、或いは停止を行うモーターと、前記モーターの回転駆動力によって回転するローラーと、を備えたディスク装置であって、前記第１のラックギアおよび前記第２のラックギアにはそれぞれ欠歯を形成し、前記第１のスイッチは前記第２のスイッチよりも先に前記第１のディスク検知部材または前記第２のディスク検知部材の摺動に応じてＯＮまたはＯＦＦの切り換えを行う位置に設け、前記挿入口より前記ディスクを挿入することで前記第１のスイッチがＯＦＦからＯＮに切り換わったときに前記モーターが正転駆動して前記ローラーによって前記ディスクをディスク装置内部の所定位置方向へ搬送し、その後、前記第２のスイッチがＯＦＦからＯＮに切り換わったときには前記ローラーによって前記ディスクのディスク装置内部の所定位置方向への搬送を続け、或いは、前記第２のスイッチがＯＮとならず、且つ、前記第１のスイッチがＯＮからＯＦＦに切り換わったときには前記モーターが逆転駆動して前記ローラーによって前記ディスクをディスク装置の挿入口側へ強制的に排出することを特徴とする。
【００１６】
請求項２に係るディスク判別手段を備えたディスク装置は、請求項１に記載のディスク判別手段を備えたディスク装置であって、前記第１のスイッチおよび前記第２のスイッチは、摺動する前記第１のディスク検知部材または前記第２のディスク検知部材の何れかによってＯＮまたはＯＦＦに切り換わるよう並設したことを特徴とする。
【００１７】
請求項３に係るディスク判別手段を備えたディスク装置は、請求項１または請求項２の何れかに記載のディスク判別手段を備えたディスク装置であって、前記フレームに対し摺動可能に取付けられ、且つ前記第１のディスク検知部材または前記第２のディスク検知部材の摺動方向に直交する方向へ摺動するスライダーを設け、前記スライダーの摺動動作によって前記第１のディスク検知部材または前記第２のディスク検知部材を介して前記第１のスイッチがＯＦＦからＯＮに切り換わったときに前記モーターを停止することを特徴とする。
【発明の効果】
【００１８】
以上のような本発明の構成によれば、第１のラックギアおよび第２のラックギアに形成された欠歯によって、第１の当接ピンと第２の当接ピンが当接して移動する位置、すなわち挿入口の略中央位置に限定してディスクの挿入を可能としている。そして、前記挿入口の略中央位置より挿入されたディスクが大径ディスクの場合のディスク装置内部の所定位置へ搬送するまでの動作と、前記挿入口の略中央位置より挿入されたディスクが小径ディスクの場合の搬送動作の途中段階で小径ディスクであることを検知してディスク装置の挿入口側へ強制的に排出するまでの動作を２つのスイッチで実現しており、前記２つのスイッチの押圧操作を第１のディスク検知部材（若しくは第２のディスク検知部材）によって行うことで、従来技術に比べて簡素な構造によって挿入されたディスクの判別手段を実現することが可能となる。
【００１９】
また、ディスクの挿入可能な箇所を挿入口の略中央位置に限定することで、例えば、挿入口の端部より小径ディスクを挿入する場合の判別パターン等を考慮する必要がなくなり、挿入ディスクの判別に要する電気的な制御の簡素化も可能となる。
【図面の簡単な説明】
【００２０】
【図１】本発明の実施例におけるディスク装置の斜視図。
【図２】本発明の実施例におけるディスク装置の平面図。
【図３】本発明の実施例におけるディスク検知部材およびピニオンギアを示す斜視図。
【図４】本発明の実施例におけるディスク装置の挿入口からディスクの外周縁が第１の当接部にのみ当接するよう挿入した場合を示す部分概略透視図。
【図５】図４の状態から欠歯によって第１のディスク検知部材および第２のディスク検知部材の摺動動作が規制された状態を示すディスク装置の部分概略透視図。
【図６】本発明の実施例におけるディスク装置の挿入口からディスクの外周縁が第２の当接部にのみ当接するよう挿入した場合を示す部分概略透視図。
【図７】図６の状態から欠歯によって第１のディスク検知部材および第２のディスク検知部材の摺動動作が規制された状態を示すディスク装置の部分概略透視図。
【図８】本発明の実施例におけるディスク装置の挿入口からディスクの外周縁が第１の当接部および第２の当接部に当接するよう挿入した場合を示す部分概略透視図。
【図９】図８の状態から第１のディスク検知部材および第２のディスク検知部材が互いに離間した状態を示す部分概略透視図。
【図１０】本発明の実施例におけるローラーの動力伝達機構を示す斜視図。
【図１１】本発明の実施例における揺動部材を示す天面側斜視図。
【図１２】本発明の実施例における揺動部材を示す底面側斜視図。
【図１３】本発明の実施例におけるディスク装置の底面側斜視図。
【図１４】本発明の実施例におけるスライダー単体の天面側斜視図。
【図１５】本発明の実施例におけるスライダー単体の底面側斜視図。
【図１６】本発明の実施例におけるディスク挿入前の状態を示すディスク装置の概略透視平面図。
【図１７】本発明の実施例におけるディスクを挿入して支持レバーが揺動した状態を示すディスク装置の概略透視平面図。
【図１８】本発明の実施例におけるスライダーが摺動してディスクの挿入が完了した状態を示すディスク装置の概略透視平面図。
【図１９】本発明の実施例におけるディスク装置であって、挿入口より小径ディスクを挿入した場合を示す概略平面図。
【図２０】図１９の状態からさらに小径ディスクをディスク装置内部へ挿入し、第１のスイッチがＯＮとなった場合を示す概略平面図。
【図２１】図２０の状態からローラーの回転力によって小径ディスクをディスク装置内部へ搬送し、第１のスイッチがＯＦＦとなった場合を示す概略平面図。
【図２２】本発明の実施例におけるディスク装置であって、挿入口より大径ディスクを挿入した場合を示す概略平面図。
【図２３】図２２の状態からさらに大径ディスクをディスク装置内部へ挿入し、第１のスイッチがＯＮとなった場合を示す概略平面図。
【図２４】図２３の状態からローラーの回転力によって大径ディスクをディスク装置内部へ搬送し、第２のスイッチがＯＮとなった場合を示す概略平面図。
【図２５】図２４の状態からローラーの回転力によって大径ディスクをさらにディスク装置内部へ搬送し、第２のスイッチがＯＦＦとなった場合を示す概略平面図。
【図２６】図２５の状態からローラーの回転力によって大径ディスクをさらにディスク装置内部へ搬送し、第１のスイッチがＯＦＦとなった場合を示す概略平面図。
【図２７】図２６の状態からスライダーが摺動し、第１のスイッチが再びＯＮとなった場合を示す概略平面図。
【図２８】本発明の実施例における挿入ディスクの判別動作および小径ディスクの強制排出動作を示すフローチャート図。
【発明を実施するための形態】
【００２１】
以下、本発明を実施するための最良の形態としての実施例を図１〜図２８を用いて以下に説明する。尚、本発明はその主旨に反しない範囲で、実施例において説明した構成以外のものに対しても容易に適用可能である。
【００２２】
図１は本発明の実施例におけるディスク装置の斜視図であり、符号１はディスク装置、２はディスク、３はディスク装置１の外観を構成するフレーム、４はディスク２の挿抜を直接可能とするフレーム３に形成された挿入口である。同図で示すように、ディスク装置１のフレーム３に形成された挿入口４よりディスク２が挿入されたならば、後述するローラーの回転力によって前記ディスク２はディスク装置１内部の所定位置に搬送される。そして、ディスク装置１内部の所定位置に到達したディスク２に対して情報の読出し或いは情報の書込みが可能となり、前記ディスク２の再生または記録ができる。
【００２３】
図２は本発明の実施例におけるディスク装置の平面図、図３は本発明の実施例におけるディスク検知部材およびピニオンギアを示す斜視図である。挿入口４の近傍におけるフレーム３の上部には、互いに近接または離間する方向へ摺動可能とする第１のディスク検知部材５と第２のディスク検知部材６を備えている。前記第１のディスク検知部材５には第１のラックギア５ａを形成し、前記第２のディスク検知部材６には第２のラックギア６ａを形成し、前記第１のラックギア５ａと前記第２のラックギア６ａにそれぞれ噛合するピニオンギア７を備えた構造としている。そして、前記第１のディスク検知部材５および前記第２のディスク検知部材６は第１の付勢手段たるコイルスプリング８によって互いに近接する方向へ常時付勢されている。
【００２４】
また、前記第１のディスク検知部材５および前記第２のディスク検知部材６にはそれぞれ挿入口４から挿入されたディスク２の外周縁に当接する第１の当接ピン５ｃおよび第２の当接ピン６ｃが一体に形成されている。挿入口４より挿入されたディスク２は、最初に前記第１の当接ピン５ｃおよび前記第２の当接ピン６ｃに当接する。そして、前記第１の当接ピン５ｃが一体に形成された第１のディスク検知部材５と前記第２の当接ピン６ｃが一体に形成された第２のディスク検知部材６は、ディスク２を挿入方向へ押圧するユーザーの押圧力により、前記コイルスプリング８の付勢力に抗して互いが離間する方向へ摺動する。
【００２５】
ところで、前記第１のディスク検知部材５に形成された第１のラックギア５ａには欠歯５ｂを設け、前記第２のディスク検知部材６に形成された第１のラックギア６ａには欠歯６ｂを設けている。これは、挿入されたディスク２の押圧力によって第１のディスク検知部材５または第２のディスク検知部材６の何れか一方のみが摺動するのを防止するために設けられており、換言すれば、挿入されたディスク２を挿入口４の略中央位置より挿入するための手段としている。
【００２６】
ここで、挿入口４に対するディスク２の挿入について図４〜図９を用いてさらに詳述する。
【００２７】
図４は本発明の実施例におけるディスク装置の挿入口からディスクの外周縁が第１の当接部にのみ当接するよう挿入した場合を示す部分概略透視図である。同図で示すように、ディスク２が挿入口４の図示左側から偏って挿入されたならば、前記ディスク２の外周縁は第１のディスク検知部材５に形成された第１の当接ピン５ｃに当接し、前記第１のディスク検知部材５は前記ディスク２の押圧力によって矢印Ａの方向へ摺動する。そして、前記第１のディスク検知部材５の摺動に伴って、第１のラックギア５ａに噛合するピニオンギア７は矢印Ｂの方向へ回転し、前記第１のラックギア５ａと同じく前記ピニオンギア７に噛合する第２のラックギア６ａを有する第２のディスク検知部材６は矢印Ｃの方向へ摺動する。
【００２８】
図５は図４の状態から欠歯によって第１のディスク検知部材および第２のディスク検知部材の摺動動作が規制された状態を示すディスク装置の部分概略透視図である。ピニオンギア７の歯が第１のラックギア５ａの欠歯５ｂにさしかかったところで、第２のラックギア６ａの歯先に前記ピニオンギア７の別の歯先が当たり、前記ピニオンギア７の回転を強制的に停止させる。これは、ディスク２の挿入によって第１のディスク検知部材５のみが摺動するために生じるものであり、第２のディスク検知部材６に形成された第２のラックギア６ａとピニオンギア７の噛合するタイミングが欠歯６ｂによってズレるためである。その結果、挿入されたディスク２の外周縁が当接し、前記ディスク２の押圧力によって摺動する第１のディスク検知部材５、および前記ピニオンギア７を介して摺動する第２のディスク検知部材６は図５で示す状態より摺動することができなくなる。
【００２９】
図６は本発明の実施例におけるディスク装置の挿入口からディスクの外周縁が第２の当接部にのみ当接するよう挿入した場合を示す部分概略透視図である。同図で示すように、ディスク２が挿入口４の図示右側から偏って挿入されたならば、前記ディスク２の外周縁は第２のディスク検知部材６に形成された第２の当接ピン６ｃに当接し、前記第２のディスク検知部材６は前記ディスク２の押圧力によって矢印Ｃの方向へ摺動する。そして、前記第２のディスク検知部材６の摺動に伴って、第２のラックギア６ａに噛合するピニオンギア７は矢印Ｂの方向へ回転し、前記第２のラックギア６ａと同じく前記ピニオンギア７に噛合する第１のラックギア５ｂを有する第１のディスク検知部材５は矢印Ａの方向へ摺動する。
【００３０】
図７は図６の状態から欠歯によって第１のディスク検知部材および第２のディスク検知部材の摺動動作が規制された状態を示すディスク装置の部分概略透視図である。前記挿入口４の図示左側から偏って前記ディスク２を挿入した場合と同じく、ピニオンギア７の歯が第２のラックギア６ａの欠歯６ｂにさしかかったところで、第１のラックギア５ａの歯先に前記ピニオンギア７の別の歯先が当たり、前記ピニオンギア７の回転を強制的に停止させる。これは、ディスク２の挿入によって第２のディスク検知部材６のみが摺動するために生じるものであり、第１のディスク検知部材５に形成された第１のラックギア５ａとピニオンギア７の噛合するタイミングが欠歯５ｂによってズレるためである。その結果、挿入されたディスク２の外周縁が当接し、前記ディスク２の押圧力によって摺動する第２のディスク検知部材６、および前記ピニオンギア７を介して摺動する第１のディスク検知部材５は図７で示す状態より摺動することができなくなる。
【００３１】
図８は本発明の実施例におけるディスク装置の挿入口からディスクの外周縁が第１の当接部および第２の当接部に当接するよう挿入した場合を示す部分概略透視図である。同図で示すように、ディスク２が挿入口４の略中央より挿入されたならば、前記ディスク２の外周縁は第１のディスク検知部材５に形成された第１の当接ピン５ｃと第２のディスク検知部材６に形成された第２の当接ピン６ｃにそれぞれ当接し、前記第１のディスク検知部材５は前記ディスク２の押圧力によって矢印Ａの方向へ摺動し、前記第２のディスク検知部材６は前記ディスク２の押圧力によって矢印Ｃの方向へ摺動する。
【００３２】
図９は図８の状態から第１のディスク検知部材および第２のディスク検知部材が互いに離間した状態を示す部分概略透視図である。ピニオンギア７の歯が第１のラックギア５ａの欠歯５ｃおよび第２のラックギア６ａの欠歯６ｃにさしかかったところで、前記ピニオンギア７は前記第１のラックギア５ａおよび前記第２のラックギア６ａと噛合しないことから一時的に回転を停止するが、前記欠歯５ｃと前記欠歯６ｃを過ぎた位置まで前記第１のディスク検知部材５および前記第２のディスク検知部材６が互いに離間する方向へ摺動することで、前記第１のラックギア５ａと前記第２のラックギア６ａは前記ピニオンギア7と再度噛合して回転する。すなわち、挿入されたディスク２の外周縁に第１の当接ピン５ｃと第２の当接ピン６ｃが当接して前記第１のディスク検知部材５と前記第２のディスク検知部材６がほぼ同時に摺動することによって、欠歯５ｃまたは欠歯６ｃによる前記第１のディスク検知部材５または前記第２のディスク検知部材６の摺動規制を解除することができる。その結果、前記ディスク２を挿入する際に生じる押圧力によって、前記第１のラックギア５ａを有する第１のディスク検知部材５および前記第２のラックギア６ａを有する第２のディスク検知部材６は互いに離間する方向へ摺動する。
【００３３】
前記欠歯５ｃまたは前記欠歯６ｃによる前記第１のディスク検知部材５または前記第２のディスク検知部材６の摺動規制は、換言すれば、前記挿入口４に対する前記ディスク２の挿入位置の規制となる。すなわち、ディスク装置１の挿入口４より挿入されたディスク２をできるだけ前記挿入口４の略中央位置より挿入することを目的としている。本実施例で示すディスク装置１に使用可能なディスクとして大別すると、外径が１２０ｍｍの大径ディスクと外径が８０ｍｍの小径ディスクがある。そして、挿入口４は、一般的に大径ディスクが挿入可能な大きさとしている。本実施例では、大径ディスクまたは小径ディスクの何れが挿入された場合であっても、前記挿入口４の略中央位置より前記ディスクの挿入を可能としている。なお、図４〜図９で示すディスク２は大径ディスクであり、小径ディスクを挿入する場合についても同様の効果を奏することを言及し、詳細については割愛する。
【００３４】
つぎに、挿入口４から挿入されたディスクを搬送する搬送手段について説明する。図２で示すように、フレーム３のフレーム上部３ｃには、前記第１のディスク検知部材５が摺動することによってＯＮまたはＯＦＦの切り換えが行われる第１のスイッチ９と第２のスイッチ１０を併設したスイッチ基板１１が取り付けられている。前記第１のスイッチ９および前記第２のスイッチ１０は、挿入口４より挿入されたディスク２の外径を判別し、後述するローラーを回転させるモーターの正転駆動、逆転駆動、或いは停止を制御するためにある。
【００３５】
具体的には、ディスク装置１の挿入口４より挿入されたディスク２の外出縁に沿って摺動する第１のディスク検知部材５が前記第１のスイッチ９を押圧することでモーターは正転駆動し、前記ローラーは前記モーターの回転駆動力によってディスク２を前記ディスク装置１内部の所定位置へ搬送するために回転する。そして、前記ディスク２が前記ディスク装置１内部の所定位置に到達した時点で前記第１のディスク検知部材５が再び前記第１のスイッチ９を押圧して前記モーターは停止し、前記ディスク２を前記ディスク装置１内部の所定位置へ搬送するために回転していたローラーも停止する。
【００３６】
一方、前記第２のスイッチ１０は、前記ディスク装置１内部の所定位置から挿入口４へディスク２を搬送するために回転するローラーを停止するために設けられている。すなわち、前記第１のディスク検知部材５が前記第２のスイッチ１０を押圧（ＯＮ）した状態から前記押圧状態を解除（ＯＦＦ）する位置まで摺動することによってモーターは停止し、前記ディスク２を前記挿入口４へ搬送するために回転していたローラーも停止する。なお、本実施例で述べる「搬送」とは、ディスク装置１の挿入口４から前記ディスク装置１内部の所定位置へディスク２を搬入すること、或いは、前記ディスク装置１内部の所定位置から前記ディスク装置１の挿入口４へディスクを搬出することを総じて称し、以下、説明を続ける。
【００３７】
つぎに、挿入口４より挿入されたディスク２を搬送するローラーの動力伝達機構について説明する。図１０は本発明の実施例におけるローラーの動力伝達機構を示す斜視図である。本実施例では、ディスク装置１の後方側にモーター２１を配置し、前記モーター２１の先端にはプーリー２２を取着している。そして、前記モーター２１と間隔をあけてプーリーとギアを一体に形成したプーリーギア２４を配置し、前記プーリー２１と前記プーリーギア２４にベルト２３を掛け、前記モーター２１の回転駆動力によって前記プーリーギア２４を回転する構造としている。
【００３８】
一方、挿入口４の内面側であって、前記第１の当接ピン５ｃおよび前記第２の当接ピン６ｃよりも後方側には、挿入されたディスク２の下面側より当接するローラー１７を設けている。前記ローラー１７は、軸（以下、揺動部材回転軸と称す）１８ａ，１８ａを支点に揺動可能とする揺動部材１８の端部において回転可能に取付けられている。そして、前記揺動部材１８は、第２の付勢手段によって前記ローラー１７が前記挿入口４より挿入されたディスク２に当接する方向へ常時付勢されており、詳細については後述する。また、前記ローラー１７は、両端部から略中央に向かってその径が小さくなる形状としている。これは、前記挿入口４より挿入されたディスク２の外周縁近傍に当接し、前記ディスクの記録面に前記ローラー１７が直接当接することによる損傷や汚れの付着等を防ぐために行っている。
【００３９】
また、前記ローラー１７の一方端部にはギア（以下、ローラーギアと称す）２０を取着している。これは、前記モーター２１の回転駆動力を前記ローラー１７に伝達するために設けている。さらに、前記プーリーギア２４と前記ローラーギア２０の間には、前記モーター２１の回転速度をディスク２の搬送に適した速度に変換するための、また、後述するスライダーを摺動させる動力を伝達するための、複数のギアによって構成するギア機構２５を配置している。
【００４０】
前述の構成により、ディスク装置１の挿入口４より挿入されたディスク２は、モーター２１の回転駆動力によって回転するローラー１７によって装置内部の所定位置へ搬送される。なお、前記ローラー１７の回転は以下の手順によって行われる。
（１）ディスク装置１の挿入口４よりディスク２を挿入する。
（２）第１の当接ピン５ｃおよび第２の当接ピン６ｃがディスク２の外周縁に当接し、第１のディスク検知部材５および第２のディスク検知部材６は互いに離間する方向へ摺動する。
（３）前記ディスク２の挿入に伴って摺動する前記第１のディスク検知部材５がスイッチ基板１１に配設した第１のスイッチ９を押圧し、前記第１のスイッチ９はＯＦＦからＯＮに切り換わる。
（４）前記第１のスイッチ９がＯＦＦからＯＮに切り換わることでモーター２１が正転駆動する。
（５）前記モーター２１の回転駆動力がプーリー２２，ベルト２３，プーリーギア２４，ギア機構２５，ローラーギア２０を介してローラー１７に伝達し、前記ローラー１７はディスク２をディスク装置１内部の所定位置へ搬送するために回転する。
【００４１】
つぎに、ローラー１７を取着した揺動部材について詳述する。図１１は本発明の実施例における揺動部材を示す天面側斜視図、図１２は同底面側斜視図、図１３は本発明の実施例におけるディスク装置の底面側斜視図である。同図で示すように、揺動部材１８には、後方側にローラー１７を回転可能に取着し、前方側に遮蔽部１８ｂを一体に形成している。また、前記揺動部材１８の両端部には揺動部材回転軸１８ａ，１８ａを形成しており、前記揺動部材１８の底面側には第２の付勢手段たるコイルスプリング１９の一端を係止する係止部（以下、揺動部材側係止部と称す）１８ｃを形成している。前記揺動部材側係止部１８ｃは前記揺動部材回転軸１８ａ，１８ａよりも前方側に形成しており、前記コイルスプリング１９の他端はフレーム３に形成された係止部（以下、フレーム側係止部と称す）３ａに係止している。すなわち、前記揺動部材１８は前記コイルスプリング１９の付勢力によって前記揺動部材回転軸１８ａ，１８ａを支点に前記遮蔽部１８ｂが下降し、前記ローラー１７が上昇した状態となっている。
【００４２】
前述の状態をコイルスプリング１９の付勢力によって維持することで、挿入口４より挿入されたディスク２の下面側外周縁に前記ローラー１７を当接することができる。なお、前記遮蔽部１８ｂはディスク装置１内部の所定位置においてディスク２の再生または記録が可能な状態にあって別のディスクの挿入を防止するために設けている。詳述すれば、揺動部材１８の一方端部には、揺動部材回転軸１８ａとは別に突出部１８ｄを形成しており、後述するスライダーによって前記突出部１８ｄを押圧することで、前記揺動部材１８は前記揺動部材回転軸１８ａ，１８ａを支点にコイルスプリング１９の付勢力に抗して前記遮蔽部１８ｂが上昇するように揺動する。そして、前記遮蔽部１８ｂが上昇することで別のディスクの挿入を防止している。
【００４３】
なお、前記コイルスプリング１９は、前記揺動部材１８の前記突出部１８ｄ近傍に設けるのが望ましい。これは、前記コイルスプリング１９の付勢力に抗して強制的に揺動する前記揺動部材１８の捩れを抑えるためである。後述するスライダーが前記突出部１８ｄを押圧することで前記揺動部材回転軸１８ａ，１８ａを支点に揺動する前記揺動部材１８は、前記コイルスプリング１９によって常時付勢力が掛かるため、例えば、前記突出部１８ｄが形成されていない前記揺動部材１８の他方端部側に前記コイルスプリング１９を設ける構造とするならば、前記揺動部材１８は前記コイルスプリング１９の付勢力と前記コイルスプリング１９の付勢力に抗して前記揺動部材１８を強制的に揺動する力によって捩れが発生し、前記揺動部材１８の揺動動作に不具合が生じたり、或いは、前記揺動部材１８に取付けられたローラー１７によるディスク２の搬送に影響を与えることが考えられる。
【００４４】
ところで、フレーム上部３ｃには、支持レバー回転軸１５を支点に揺動可能とする支持レバー１４と、ディスク装置１の前後方向へ摺動可能とするスライダーを取付けている（図２参照）。前記支持レバー１４には第３の当接ピン１４ａを形成しており、前記第３の当接ピン１４ａは挿入口４から回転するローラー１７によって搬送されたディスク２の外周縁に当接し、前記ディスク２が搬送力によって前記第３の当接ピン１４ａを後方側へ押圧するため、前記支持レバー１４は前記支持レバー回転軸１５を支点に揺動する。前記支持レバー１４と前記スライダー１６は連結しており、前記ディスク２の挿入に伴って揺動する前記支持レバー１４の揺動動作に連動して前記スライダー１６が僅かに移動し、後述する構造によって前記モーター２１の回転駆動力によって前記スライダー１６が摺動する。
【００４５】
つぎに、スライダーの具体的な形状および手段について図１４〜図１８を用いて説明する。図１４は本発明の実施例におけるスライダー単体の天面側斜視図、図１５は同底面側斜視図、図１６は本発明の実施例におけるディスク挿入前の状態を示すディスク装置の概略透視平面図、図１７は本発明の実施例におけるディスクを挿入して支持レバーが揺動した状態を示すディスク装置の概略透視平面図、図１８は本発明の実施例におけるスライダーが摺動してディスクの挿入が完了した状態を示すディスク装置の概略透視平面図である。
【００４６】
本発明の実施例におけるスライダー１６は、フレーム３の上面（フレーム上部３ｃ）と側面にかかる形状を成している。そして、前記スライダー１６には、前記支持レバー１４と連結するための連結突起１６ｂが形成されている。一方、前記支持レバー１４には、前記スライダー１６の連結突起１６ｂが遊嵌する長孔１４ｂが形成されている。すなわち、前記スライダー１６の連結突起１６ｂが前記支持レバー１４の長孔１４ｂに遊嵌して連結状態としており、支持レバー回転軸１５を支点とする前記支持レバー１４の揺動動作に連動して前記スライダー１６は僅かに摺動する構造となっている。
【００４７】
また、前記スライダー１６には、底面側にラックギア（以下、第３のラックギアと称す）１６ｃが形成されている。これは、モーター２１の回転駆動力によって回転するギア機構２５と噛合するために形成されており、ディスク２の挿入前の状態では、前記第３のラックギア１６ｃと前記ギア機構２５は噛合しておらず、挿入口４より挿入されたディスク２の外周縁が第３の当接ピン１４ａを押圧して前記支持レバー回転軸１５を支点に揺動する支持レバー１４の揺動動作に連動して前記スライダー１６が僅かに摺動することで、前記第３のラックギア１６ｃと前記ギア機構２５は噛合する構造となっている。そして、前記第３のラックギア１６ｃと前記ギア機構２５が噛合するならば、前記スライダー１６は前記モーター２１の回転駆動力によってディスク装置１の前方側へ摺動する。
【００４８】
また、前記スライダー１６の側面前方側には、挿入されたディスク２の下面側外周縁に当接するローラー１７を取着した揺動部材１８を強制的に揺動するための第１のカム部１６ｄを形成している。これは、前記揺動部材１８の一方端部に形成する突出部１８ｄが前記スライダー１６の摺動動作に伴って前記第１のカム部１６ｄに当接するとともに、前記第１のカム部１６ｄに沿って前記突出部１８ｄが移動することで、前記揺動部材１８は前記揺動部材回転軸１８ａ，１８ａを支点に第２の付勢手段たるコイルスプリング１９の付勢力に抗して、前記遮蔽部１８ｂが前記挿入口４を閉塞するように上昇し、前記ローラー１７が前記ディスク２より離間するように下降する方向へ揺動するために設けている。
【００４９】
また、前記スライダー１６の平面前方側には第２のカム部１６ｅを形成している。これは、第１のディスク検知部材５を強制的に摺動させるために設けており、前記スライダー１６がディスク装置１の前方側へ摺動する動作が完了する直前で前記第１のディスク検知部材５を僅かに摺動させ、前記第１のディスク検知部材５によってスイッチ基板１１に配設された第１のスイッチ９を押圧することでモーター２１を停止するために設けている。そして、挿入口４より挿入されたディスク２を搬送する場合において、前述の動作によって前記モーター２１を停止するときが、ディスク装置１内部の所定位置に前記ディスク２が到達し、前記ディスク２の再生または記録が可能な状態をあらわしている。
【００５０】
なお、前記第１のディスク検知部材５の強制的な摺動動作は、前記第１のスイッチ９を押圧して前記モーター２１を停止させる手段とあわせて、ディスク装置１内部の所定位置に到達した前記ディスク２の外周縁より第１の当接ピン５ｃおよび第２の当接ピン６ｃを離間させる手段を兼ねている。すなわち、前記スライダー１６の第２のカム部１６ｅによって僅かに摺動する第１のディスク検知部材５は、ピニオンギア７を介して第２のディスク検知部材６と連結しているため、前記第１のディスク検知部材５の摺動動作にあわせて前記第２のディスク検知部材６も摺動し、前記第１のディスク検知部材５の第１の当接ピン５ｃと前記第２のディスク検知部材６の第２の当接ピン６ｃは、ディスク２の外周縁より離間する。
【００５１】
また、前記支持レバー１４の長孔１４ｂには、前記スライダー１６に形成された連結突起１６ｂが遊嵌することで互いに連結した状態にあり、前述した前記スライダー１６の僅かな摺動動作の他にディスク装置１内部の所定位置に搬送されたディスク２より前記支持レバー１４を離間する動作にも関係している。すなわち、第３のラックギア１６ｃとギア機構２５が噛合してモーター２１の回転駆動力によって摺動する前記スライダー１６の連結突起１６ｂが前記支持レバー１４の長孔１４ｂに沿って移動し、前記連結突起１６ｂが前記長孔１４ｂの端部を押圧することで前記支持レバー１４は支持レバー回転軸１５を支点に揺動し、前記支持レバー１４に形成された第３の当接ピン１４ａは前記ディスク装置１内部の所定位置に到達したディスク２の外周縁より離間する。
【００５２】
ところで、本実施例のディスク装置１は、挿入口４から大径ディスクまたは小径ディスクの何れにおいても挿入を可能としているが、小径ディスクは前記ディスク装置１内部の所定位置へ到達する前に前記挿入口４側へ強制的に排出され、実際には大径ディスクのみ再生または記録が可能となる（以下、大径ディスクを符号２とし、小径ディスクを符号２ａとする）。つぎに、大径ディスク２と小径ディスク２ａのそれぞれを挿入した場合におけるディスク判別手段について説明する。
【００５３】
まず、ディスク装置１に小径ディスク２ａを挿入した場合について図１９〜図２１および図２８を用いて説明する。図１９は本発明の実施例におけるディスク装置であって、挿入口より小径ディスクを挿入した場合を示す概略平面図、図２０は図１９の状態からさらに小径ディスクをディスク装置内部へ挿入し、第１のスイッチがＯＮとなった場合を示す概略平面図、図２１は図２０の状態からローラーの回転力によって小径ディスクをディスク装置内部へ搬送し、第１のスイッチがＯＦＦとなった場合を示す概略平面図、図２８は本発明の実施例における挿入ディスクの判別動作および小径ディスクの強制排出動作を示すフローチャート図である。
【００５４】
ディスク装置１に小径ディスク２ａを挿入した場合の動作手順は次のようになる。
（１）ユーザーがディスク装置１の挿入口４の略中央位置から小径ディスク２ａを挿入する（Ｓ０００２）。
（２）前記小径ディスク２ａの外周縁に第１の当接ピン５ｃおよび第２の当接ピン６ｃが当接する。
（３）ユーザーが前記小径ディスク２ａを挿入する押圧力によって、前記第１の当接ピン５ｃが一体に形成された第１のディスク検知部材５および前記第２の当接ピン６ｃが一体に形成された第２のディスク検知部材６はコイルスプリング８の付勢力に抗して互いに離間する方向へ摺動する。
（４）前記小径ディスク２ａの外径とほぼ同じ間隔まで前記第１の当接ピン５ｃと前記第２の当接ピン６ｃが互いに離間したときに、前記第１のディスク検知部材５が前記第１のスイッチ９を押圧し、前記第１のスイッチ９はＯＦＦからＯＮに切り換わる（Ｓ０００３）。
（５）前記第１のスイッチ９がＯＮに切り換わることで、モーター２１が正転駆動する（Ｓ０００４）。
（６）前記モーター２１の回転駆動力がプーリー２２，ベルト２３，プーリーギア２４，ギア機構２５，ローラーギア２０を介してローラー１７に伝達し、前記小径ディスク２ａは前記ローラー１７の回転力によって前記ディスク装置１の内部へ搬送される。
（７）前記小径ディスク２ａの外周縁に沿って摺動する前記第１のディスク検知部材５が、前記コイルスプリング８の付勢力によって前記第２のディスク検知部材６と互いに近接する方向へ摺動し、前記第１のディスク検知部材５は第２のスイッチ１０をＯＮすることなく（Ｓ０００５）前記第１のスイッチ９から離れ、前記第１のスイッチ９はＯＮからＯＦＦに切り換わる（Ｓ００１１）。
（８）前記第１のスイッチ９がＯＮからＯＦＦに切り換わることで、前記モーター２１が正転駆動から逆転駆動へ切り換わり（Ｓ００１２）、前記ローラー１７は前記小径ディスク２ａをディスク装置１の挿入口４側へ搬送する方向へ回転する。
（９）前記モーター２１の回転方向が切り換わり所定時間経過した後（Ｓ００１３）で前記モーター２１は停止する（Ｓ００１４）。
【００５５】
なお、図２０の状態からモーター２１は小径ディスク２ａをディスク装置１の内部へ搬送するために回転し、図２１の状態となったところで前記モーターの回転方向が切り換わり、再び図２０の状態となるため第１のディスク検知部材５によって第１のスイッチ９を押圧するが、本実施例の場合、図２１の状態となった後は前記モーター２１の回転を所定時間経過した後で停止するように制御している。
【００５６】
つぎに、ディスク装置１に大径ディスク２を挿入した場合について図２２〜図２８を用いて説明する。図２２は本発明の実施例におけるディスク装置であって、挿入口より大径ディスクを挿入した場合を示す概略平面図、図２３は図２２の状態からさらに大径ディスクをディスク装置内部へ挿入し、第１のスイッチがＯＮとなった場合を示す概略平面図、図２４は図２３の状態からローラーの回転力によって大径ディスクをディスク装置内部へ搬送し、第２のスイッチがＯＮとなった場合を示す概略平面図、図２５は図２４の状態からローラーの回転力によって大径ディスクをさらにディスク装置内部へ搬送し、第２のスイッチがＯＦＦとなった場合を示す概略平面図、図２６は図２５の状態からローラーの回転力によって大径ディスクをさらにディスク装置内部へ搬送し、第１のスイッチがＯＦＦとなった場合を示す概略平面図、図２７は図２６の状態からスライダーが摺動し、第１のスイッチが再びＯＮとなった場合を示す概略平面図、図２８は本発明の実施例における挿入ディスクの判別動作および小径ディスクの強制排出動作を示すフローチャート図である。
【００５７】
ディスク装置１に大径ディスク２を挿入した場合の動作手順は次のようになる。
（１）ユーザーがディスク装置１の挿入口４の略中央位置から大径ディスク２を挿入する（Ｓ０００２）。
（２）前記大径ディスク２の外周縁に第１の当接ピン５ｃおよび第２の当接ピン６ｃが当接する。
（３）ユーザーが前記大径ディスク２を挿入する押圧力によって、前記第１の当接ピン５ｃが一体に形成された第１のディスク検知部材５および前記第２の当接ピン６ｃが一体に形成された第２のディスク検知部材６はコイルスプリング８の付勢力に抗して互いに離間する方向へ摺動する。
（４）前記大径ディスク２をさらにディスク装置１内部へ挿入することで、前記第１のディスク検知部材５が前記第１のスイッチ９を押圧し、前記第１のスイッチ９はＯＦＦからＯＮに切り換わる（Ｓ０００３）。
（５）前記第１のスイッチ９がＯＮに切り換わることで、モーター２１が正転駆動する（Ｓ０００４）。
（６）前記モーター２１の回転駆動力がプーリー２２，ベルト２３，プーリーギア２４，ギア機構２５，ローラーギア２０を介してローラー１７に伝達さし、前記大径ディスク２は前記ローラー１７の回転力によって前記ディスク装置１の内部へ搬送される。
（７）前記大径ディスク２の外径とほぼ同じ間隔まで前記第１の当接ピン５ｃと前記第２の当接ピン６ｃが互いに離間したときに前記第１のディスク検知部材５が前記第２のスイッチ１０を押圧し、前記第２のスイッチ１０はＯＦＦからＯＮに切り換わる（Ｓ０００５）。
（８）前記大径ディスク２の外周縁に沿って摺動する前記第１のディスク検知部材５が、前記コイルスプリング８の付勢力によって前記第２のディスク検知部材６と互いに近接する方向へ摺動し、前記第１のディスク検知部材５は前記第２のスイッチ１０から離れ、前記第２のスイッチ１０はＯＮからＯＦＦに切り換わる（Ｓ０００６）。
（９）前記大径ディスク２の外周縁に沿って摺動する前記第１のディスク検知部材５が、前記コイルスプリング８の付勢力によって前記第２のディスク検知部材６と互いに近接する方向へ摺動し、前記第１のディスク検知部材５は前記第１のスイッチ９から離れ、前記第１のスイッチ９はＯＮからＯＦＦに切り換わる（Ｓ０００７）。
（１０）スライダー１６が図示前方向へ摺動することで（Ｓ０００８）、前記第１のディスク検知部材５を前記コイルスプリング８の付勢力に抗して前記第２のディスク検知部材６と離間する方向へ摺動し、前記第１のディスク検知部材５が前記第１のスイッチ９を再度押圧して、前記第１のスイッチ９はＯＦＦからＯＮに切り換わる（Ｓ０００９）。
（１１）前記第１のスイッチ９がＯＦＦからＯＮに切り換わったことで、モーター２１は停止する（Ｓ００１０）。
【００５８】
すなわち、本発明の実施例ではディスク装置１の挿入口４から挿入された大径ディスク２または小径ディスク２ａの外径に沿って摺動する第１のディスク検知部材５および第２のディスク検知部材６を設け、前記第１のディスク検知部材５が摺動することによってＯＮまたはＯＦＦとなる第１のスイッチ９および第２のスイッチ１０を前記第１のディスク検知部材５の摺動軌道上に並設し、前記第１のスイッチ９および前記第２のスイッチ１０のＯＮまたはＯＦＦ切り換えを検知して前記挿入口４より挿入されたディスクの判別を行い、前記挿入されたディスクが小径ディスク２ａであるならば、ディスク装置１内部の所定位置に搬送する前にモーター２１を逆転駆動に切り換えて前記ディスク装置１の挿入口４側へ強制的に排出するよう制御している。
【００５９】
以上、本発明の一実施例について詳述したが、本発明は前記実施例に限定されるものではなく、本発明の要旨の範囲内で種々の変形実施が可能である。
【符号の説明】
【００６０】
１    ディスク装置
２    ディスク（大径ディスク）
２ａ  小径ディスク
３    フレーム
３ａ  フレーム側係止部
３ｃ  フレーム上部
４    挿入口
５    第１のディスク検知部材
５ａ  第１のラックギア
５ｂ  欠歯
５ｃ  第１の当接ピン
６    第２のディスク検知部材
６ａ  第２のラックギア
６ｂ  欠歯
６ｃ  第２の当接ピン
７    ピニオンギア
８    コイルスプリング（第１の付勢手段）
９    第１のスイッチ
１０    第２のスイッチ
１１    スイッチ基板
１４    支持レバー
１４ａ  第３の当接ピン
１４ｂ  長孔
１５    支持レバー回転軸
１６    スライダー
１６ｂ  連結突起
１６ｃ  第３のラックギア
１６ｄ  第１のカム部
１６ｅ  第２のカム部
１７    ローラー
１８    揺動部材
１８ａ  揺動部材回転軸
１８ｂ  遮蔽部
１８ｃ  揺動部材係止部
１８ｄ  突出部
１９    コイルスプリング（第２の付勢手段）
２０    ローラーギア
２１    モーター
２２    プーリー
２３    ベルト
２４    プーリーギア
２５    ギア機構
【図１】
2012195034.tif 000003
【図２】
2012195034.tif 000004
【図３】
2012195034.tif 000005
【図４】
2012195034.tif 000006
【図５】
2012195034.tif 000007
【図６】
2012195034.tif 000008
【図７】
2012195034.tif 000009
【図８】
2012195034.tif 000010
【図９】
2012195034.tif 000011
【図１０】
2012195034.tif 000012
【図１１】
2012195034.tif 000013
【図１２】
2012195034.tif 000014
【図１３】
2012195034.tif 000015
【図１４】
2012195034.tif 000016
【図１５】
2012195034.tif 000017
【図１６】
2012195034.tif 000018
【図１７】
2012195034.tif 000019
【図１８】
2012195034.tif 000020
【図１９】
2012195034.tif 000021
【図２０】
2012195034.tif 000022
【図２１】
2012195034.tif 000023
【図２２】
2012195034.tif 000024
【図２３】
2012195034.tif 000025
【図２４】
2012195034.tif 000026
【図２５】
2012195034.tif 000027
【図２６】
2012195034.tif 000028
【図２７】
2012195034.tif 000029
【図２８】
2012195034.tif 000030